(57)【要約】【課題】正極板４の拡張によって耳部４ｅに断線等が発生するのを防止することができる鉛蓄電池を提供する。【解決手段】複数枚ずつの正極板４と負極板５をセパレータ６を介して重ね合わせ、これら正極板４と負極板５の上額部４ｃ、５ｃから上方に突出させた耳部４ｅ、５ｅの上端部を正極ストラップ７と負極ストラップ８に溶接接続した極板群３を電槽１内に収容し、この電槽１の上端開口部に電槽蓋２を取り付けた鉛蓄電池において、前記極板群３の正極板４の耳部４ｅに、この耳部４ｅの下部の幅を両側が正極ストラップ７の両側端よりも側方に突出するように広げることにより段差部４ｆを形成すると共に、電槽蓋２に、この電槽蓋２の内側天井面から下方に向けて突設され、下端が正極板４の耳部４ｅの段差部４ｆに上方から近接する耳部支持突起２ａが形成された構成とする。【選択図】図１
2008016331.tif 000002
【特許請求の範囲】
【請求項１】
複数枚ずつの正負の極板をセパレータを介して重ね合わせ、各極板の上額部から上方に突出させた耳部の上端部を正負ごとにそれぞれストラップに溶接接続した極板群を電槽内に収容し、この電槽の上端開口部に電槽蓋を取り付けた鉛蓄電池において、
前記極板群における少なくとも１枚以上の極板の耳部に、この耳部の下部の幅を少なくとも片側がストラップの側端よりも側方に突出するように広げることにより段差部を形成すると共に、
電槽蓋に、この電槽蓋の内側天井面から下方に向けて突設され、下端が極板の耳部の段差部に上方から近接する耳部支持突起が形成され、又は、電槽蓋と極板の耳部との間に、上端がこの電槽蓋の内側天井面に近接すると共に下端がこの耳部の段差部に近接する耳部支持部材が配置されたことを特徴とする鉛蓄電池。
【発明の詳細な説明】
【技術分野】
【０００１】
本発明は、正負の極板をセパレータを介して重ね合わせ、各極板の耳部の上端部を正負ごとにそれぞれストラップに溶接接続した極板群を備えた鉛蓄電池に関するものである。
【背景技術】
【０００２】
図３に従来の液式（開放型）の鉛蓄電池の構造を示す。この鉛蓄電池は、電槽１内に６組の極板群３を収納して、上端開口部を電槽蓋２で塞いだものである。電槽１は、樹脂製の方形の容器状であり、隔壁１ａによって内部が６箇所のセル室に仕切られていて、各セル室に極板群３が１組ずつ収納される。
【０００３】
上記各極板群３は、複数枚ずつの正極板４と負極板５をセパレータ６を介して重ね合わせたものである。正極板４と負極板５は、鉛や鉛合金からなる図４に示すような格子体４ａ、５ａの格子部４ｂ、５ｂに正極活物質を充填したものである。液式の鉛蓄電池における格子体４ａ、５ａは、図４に示したように、鉛や鉛合金からなる鉛シートにエキスパンド方式により格子部４ｂ、５ｂを形成したものが多く用いられる。このエキスパンド方式の格子体４ａ、５ａは、ほぼ方形の鉛シートの上端部にこの鉛シート自体からなる上額部４ｃ、５ｃを残し、これより下方をエキスパンド方式によって網状に展開して格子部４ｂ、５ｂとしたものであり、図４では、この格子部４ｂ、５ｂのさらに下方に鉛シート自体からなる下額部４ｄ、５ｄが設けられた場合を示す。また、この格子体４ａ、５ａは、上額部４ｃ、５ｃの左右いずれかの端部（図４では左端部）から上方に向けて鉛シート自体からなる耳部４ｅ、５ｅが突設されている。
【０００４】
上記複数枚ずつの正極板４と負極板５は、全ての正極板４の耳部４ｅが左右の一方の端部から上方に突出し、全ての負極板５の耳部５ｅが左右の他方の端部から上方に突出するようにして、交互にセパレータ６を介して重ね合わせられる。そして、左右の一方の端部から突出した複数枚の正極板４の耳部４ｅの上端部に鉛や鉛合金からなる共通の正極ストラップ７が溶接されると共に、左右の他方の端部から突出した複数枚の負極板５の耳部５ｅの上端部に鉛や鉛合金からなる共通の負極ストラップ８が溶接されることにより、１組の極板群３となる。
【０００５】
上記各極板群３は、電槽１内の各セル室に、正極ストラップ７と負極ストラップ８の左右の位置が交互に入れ替わるように収納される。図３では、前方の４箇所のセル室にそれぞれ極板群３が完全に収納され、後方の２箇所のセル室には、それぞれ極板群３が収納されつつある状態を示す。セル室に収納された極板群３の正極ストラップ７と負極ストラップ８は、それぞれ前後に隣接するセル室の極板群３の負極ストラップ８と正極ストラップ７に、これらの間の隔壁１ａに形成された貫通孔を通して接続され、これによって全ての極板群３が直列に接続される。また、前後両端のセル室の極板群３における接続相手のない正極ストラップ７と負極ストラップ８からは、上方に向けて極柱７ａ、８ａが突設されている。
【０００６】
上記電槽蓋２は、電槽１の上端開口部に熱溶着によって封止固着される樹脂製の浅い方形の容器状であり、この容器状を伏せた状態で電槽１の上端開口部を塞ぐようになっている。また、この電槽蓋２は、電槽１の各隔壁１ａにも熱溶着されるので、各セル室を個別に封止するようになっている。この電槽蓋２には、前後の両端部に鉛や鉛合金からなる正極端子９と負極端子１０が埋め込み成形されていて、電槽１の前後両端のセル室の極板群３の正極ストラップ７と負極ストラップ８から突設された極柱７ａ、８ａに溶接されることにより鉛蓄電池の端子となる。また、この電槽蓋２には、６箇所の注液口が前後方向に並んで設けられ、各注液口に注液栓１１が螺着される。各注液口は、電槽１内の各セル室に通じる貫通口であり、これらの注液口を通して電解液１２が各セル室に注液される。
【０００７】
上記鉛蓄電池は、特に正極板４の正極活物質である二酸化鉛が充放電の繰り返しに伴って膨張と収縮を繰り返すので、長期間の使用に伴い正極板４の格子体４ａが腐食して来ると、この二酸化鉛の膨張時に格子部４ｂのマス目が徐々に押し広げられて、正極板４自体が拡張するようになる。しかも、このような使用に伴う正極板４の拡張は、格子体４ａをエキスパンド方式により作製したものほど顕著となる。このため、未使用の鉛蓄電池では、図５に示すように、正極板４の上額部４ｃがほぼ水平な直線状となっているが、長期間使用されると、図５に１点鎖線Ａで示すように、この正極板４における耳部４ｅが突設されていない側（図５では右側）の上額部４ｃの上端が上方に拡張するようになる。これは、正極板４の格子体４ａの格子部４ｂのマス目が押し広げられても、左右と下方へは電槽１の内壁面によって拡張が阻止され、耳部４ｅが突設された側（図５では左側）の上額部４ｃも、正極ストラップ７に接続されたこの耳部４ｅによって上方への拡張が抑制されるが、耳部４ｅが突設されていない側の上額部４ｃだけは、上方への拡張を制限するものがないからである。
【０００８】
ところが、正極板４がこのように使用に伴って拡張すると、耳部４ｅが突設されていない側では、図５に１点鎖線Ａで示すように、上方に拡張した正極板４の上端が負極ストラップ８に接触して、内部短絡を起こすおそれが生じる。また、耳部４ｅが突設された側でも、正極板４の上額部４ｃが上方に拡張しようとするが、正極ストラップ７が隣接するセル室の負極ストラップ８と接続されたり極柱７ａを正極端子９に溶接されて固定されているので、この正極ストラップ７に溶接されて上方への移動を規制された耳部４ｅに下方から押し上げる大きな力が加わることになる。従って、この耳部４ｅは、特に正極ストラップ７との溶接部分に応力が集中することになるため、この部分で前後方向（図５の手前側や奥側）に折れ曲がって座屈し断線を起こすおそれが生じる。さらに、耳部４ｅに下方から押し上げる大きな力が加わると、本来固定されているはずの正極ストラップ７が持ち上がって、負極ストラップ８との接続部分等で断線を起こすおそれも生じる。
【０００９】
そこで、従来は、上記のような正極板４の拡張をセンサで電気的に検出して、発光ダイオード等の警報装置を作動させるようにした発明がなされていた（例えば、特許文献１〜３参照。）。しかしながら、これら従来の発明は、耳部４ｅが突設されていない側では、変形量の大きい正極板４の上端の上方への拡張を検出することにより、負極ストラップ８に接触するのを事前に警告することは可能であるが、耳部４ｅが突設されている側では、正極板４の上端の変形量が小さいために、この耳部４ｅが座屈したことや正極ストラップ７が持ち上がったことを確実に検出することができないという問題があった。これは、耳部４ｅが座屈する場合、どの方向に折れ曲がるかは不明であり、正極ストラップ７が持ち上がる場合も、全体が真上に移動するとは限らず、部分的に湾曲したり、ねじれが生じるだけのこともあるので、これらを安価なセンサで確実に検出することは困難だからである。
【００１０】
なお、従来は、注液栓１１の下端を長くして、極板群３の上端に当接させるようにした発明もなされていた（例えば、特許文献４参照。）。しかしながら、この従来の発明は、電槽１のセル室内で極板群３が振動するのを防止するためのものであり、これによって正極板４の上端の上方への拡張を制限して耳部４ｅに加わる力を軽減することは困難である。なぜなら、極板群３は、短絡を防止するために正極板４と負極板５よりもセパレータ６の方が上方に突出しているので、注液栓１１の下端は、このセパレータ６の上端にのみ当接することになり、正極板４がある程度上方に拡張するまでこの拡張を制限することができないからである。しかも、注液栓１１の下端を正極板４の上端付近までさらに長くしたとしても、電槽蓋２の内側天井面からの距離が長くなりすぎるので、極板群３の振動を抑えるには十分だとしても、正極板４の上端の上方への拡張を制限するには強度が不足するからでもある。また、注液栓１１は、電槽蓋２の注液口に螺着されるものであるため、この注液栓１１の下部を肉厚にしたりリブを設ける等して強度を高めることも困難である。さらに、注液栓１１は、正極板４の耳部４ｅからある程度離して、負極板５の耳部５ｅとの中間付近の位置に配置するのが一般的であるため、この中間付近の位置で正極板４の上端を上方から確実に抑えることができたとしても、端部にある耳部４ｅ付近の正極板４の上端が上方に拡張して、この耳部４ｅに大きな力を加えるのを防ぐことはほとんど不可能だからでもある。
【００１１】
ところで、上記では正極板４が使用に伴い拡張する場合について説明したが、負極板５においても、わずかではあるが、使用に伴う拡張を生じることがあり、このような場合には、正極板４と同様の問題が生じる。
【特許文献１】特開平８−１１５７５１号公報
【特許文献２】特開平８−２２７７３３号公報
【特許文献３】特開平８−２７３７０４号公報
【特許文献４】特開２００５−２３５５０３号公報
【発明の開示】
【発明が解決しようとする課題】
【００１２】
本発明は、耳部支持突起又は耳部支持部材で極板の耳部の段差部を抑えて上方への移動を制限することにより、この極板の拡張によって耳部に断線等が発生するのを防止することができる鉛蓄電池を提供しようとするものである。
【課題を解決するための手段】
【００１３】
請求項１の発明は、複数枚ずつの正負の極板をセパレータを介して重ね合わせ、各極板の上額部から上方に突出させた耳部の上端部を正負ごとにそれぞれストラップに溶接接続した極板群を電槽内に収容し、この電槽の上端開口部に電槽蓋を取り付けた鉛蓄電池において、前記極板群における少なくとも１枚以上の極板の耳部に、この耳部の下部の幅を少なくとも片側がストラップの側端よりも側方に突出するように広げることにより段差部を形成すると共に、電槽蓋に、この電槽蓋の内側天井面から下方に向けて突設され、下端が極板の耳部の段差部に上方から近接する耳部支持突起が形成され、又は、電槽蓋と極板の耳部との間に、上端がこの電槽蓋の内側天井面に近接すると共に下端がこの耳部の段差部に近接する耳部支持部材が配置されたことを特徴とする。
【発明の効果】
【００１４】
請求項１の発明によれば、電槽蓋に形成された耳部支持突起又はこの電槽蓋によって上方への移動が制限される耳部支持部材の下端が耳部の段差部に上方から近接するので、極板の上端が上方に拡張するのを制限することができるようになる。従って、極板の上端が上方に拡張しようとすることにより、耳部に大きな力が加わりストラップとの溶接部分に応力が集中するのを防止することができるので、この耳部が座屈して断線したりストラップが持ち上がって断線するのを防ぐことができるようになる。しかも、耳部支持突起や耳部支持部材は、電槽蓋の内側天井面から耳部の下部の段差部までの長さがあればよく、極板の上端に至るまで長くする必要はないので、この極板の拡張を制限するための十分な強度を持たせることが容易となる。しかも、この耳部支持突起や耳部支持部材は、電槽蓋の内側の空きスペースを利用して、リブ等によりさらに補強することもできる。
【００１５】
ここで、耳部支持突起の下端が耳部の段差部に上方から近接するとは、この耳部支持突起の下端が段差部に接近しているだけでなく、当接していてもよい。また、耳部支持部材の上端や下端が電槽蓋の内側天井面や耳部の段差部に近接するというのも、同様に接近しているだけでなく、当接していてもよい。しかも、この耳部支持部材は、事前に電槽蓋の内側天井面に固着や係止等の方法により取り付けておいてもよいし、極板の耳部の段差部上に載置した状態で電槽蓋を取り付けることによりこれらの間に配置するようにしてもよい。
【００１６】
なお、正極板は、特に使用に伴う拡張量が大きいため、少なくともこの正極板の耳部に段差部を形成して耳部支持突起や耳部支持部材を配置すべきである。また、極板群の全ての極板又は全ての正極板の耳部に段差部を形成してそれぞれに耳部支持突起や耳部支持部材を配置することが好ましいが、耳部支持突起が形成し難い又は耳部支持部材を配置し難い等の事情により、一部の極板又は一部の正極板の耳部にのみ段差部を形成したり、一部の極板又は一部の正極板の耳部の段差部にのみ耳部支持突起や耳部支持部材を配置してもよい。さらに、耳部の下部の段差部をこの耳部の片側だけでなく両側に形成し、これら両側の段差部の上方にそれぞれ耳部支持突起や耳部支持部材の下端を近接させるようにすれば、極板の上端が上方に拡張するのをより確実に制限することができるようになる。
【発明を実施するための最良の形態】
【００１７】
以下、本発明の最良の実施形態について図１〜図２を参照して説明する。なお、これらの図においても、図３〜図５に示した従来例と同様の機能を有する構成部材には同じ番号を付記する。
【００１８】
本実施形態は、図３に示した従来例と同様の液式の鉛蓄電池について説明する。本実施形態の鉛蓄電池は、図１に示すように、極板群３の正極板４と負極板５の耳部４ｅ、５ｅに段差部４ｆ、５ｆが形成されると共に、電槽蓋２の内側天井面から下方に向けて耳部支持突起２ａが突設されている。そして、この鉛蓄電池は、これら段差部４ｆ、５ｆと耳部支持突起２ａが形成されていることを除けば、図３に示した従来例の鉛蓄電池と全く同じ構成である。
【００１９】
本実施形態の鉛蓄電池の各極板群３の全ての正極板４と負極板５は、耳部４ｅ、５ｅの下部の幅が両側に広がって、正極ストラップ７又は負極ストラップ８の両側端よりも左右の側方にそれぞれ突出することにより、これら幅の異なる上部と下部との間に上記段差部４ｆ、５ｆが形成されている。図４に示したエキスパンド方式の格子体４ａ、５ａは、鉛シートをプレス加工によって型抜きすることにより上額部４ｃ、５ｃと、この上額部４ｃ、５ｃから上方に突出する耳部４ｅ、５ｅとを形成しているので、この耳部４ｅ、５ｅの型を□状から凸状に変更することにより、このような段差部４ｆ、５ｆを容易に形成することができる。
【００２０】
また、電槽蓋２の内側天井面からは、下方に向けて上記耳部支持突起２ａが突設されている。この耳部支持突起２ａは、電槽１の隔壁１ａで仕切られた各セル室ごとに、図１の手前側から奥側に至るように、電槽蓋２の内側天井面から垂直に下方に突出した壁板状の突起であり、左右の両端部に２枚ずつ互いに平行に配置されている。そして、左右両端部の各２枚ずつの耳部支持突起２ａは、正極ストラップ７又は負極ストラップ８を左右に少し隙間を開けて挟むような位置に形成されている。しかも、これらの耳部支持突起２ａの下端は、正極ストラップ７又は負極ストラップ８に溶接された耳部４ｅ、５ｅの段差部４ｆ、５ｆのわずかに上方の位置まで達するようにしている。
【００２１】
上記左右両端部の各２枚ずつの耳部支持突起２ａには、これら２枚の耳部支持突起２ａの間や左右の外側に、電槽蓋２の内側天井面に繋がるリブ２ｂが形成されている。リブ２ｂは、耳部支持突起２ａに直交し、上下と左右方向に沿った壁板であり、電槽蓋２の内側天井面と耳部支持突起２ａの壁面に繋がることにより、この耳部支持突起２ａを補強する補強材である。電槽蓋２の内側は、注液栓１１の下部が嵌入した部分や正極端子９と負極端子１０に溶接される極柱７ａ、８ａが突出する部分を除けば、広いスペースがあるので、十分に大きなリブ２ｂを形成することができ、これによって耳部支持突起２ａの強度を非常に大きくすることができる。これらの耳部支持突起２ａやリブ２ｂは、電槽蓋２の樹脂成形時に一体的に樹脂によって形成される。
【００２２】
上記構成の鉛蓄電池は、図２に示すように、長期間の使用に伴い正極板４の上額部４ｃが上方に拡張するようになると、耳部４ｅに下方から押し上げる大きな力が加わる。すると、この耳部４ｅは、段差部４ｆ等がわずかに上昇して正極ストラップ７との溶接部分に応力が加わることになるが、この段差部４ｆが正極ストラップ７の両側の耳部支持突起２ａの下端に接触すると、耳部支持突起２ａに制限されてそれ以上に上昇することがなくなる。このため、耳部４ｅの正極ストラップ７との溶接部分にそれ以上の応力が集中することがなくなり、この耳部４ｅが座屈して断線するようなおそれがなくなる。しかも、耳部４ｅの上部がそれ以上上昇することもないので、正極ストラップ７が持ち上がって断線するようなおそれもなくなる。なお、耳部４ｅの段差部４ｆでは、耳部支持突起２ａによって上昇が制限されるので、下方から押し上げる大きな力による応力が集中することになるが、この段差部４ｆよりも下部は、耳部４ｅの幅が広くなっているので、この応力に絶える十分な強度を有する。
【００２３】
また、この正極板４における耳部４ｅが突設されていない側（図では右側）では、従来と同様に上額部４ｃの上端が上方に拡張するが、負極ストラップ８の両側の耳部支持突起２ａの下端に当接すると、この上額部４ｃの上端の上方への拡張も制限される。従って、この正極板４の上額部４ｃの上端が拡張して負極ストラップ８に接触し内部短絡が起こるのを防ぐこともできる。さらに、正極板４ではなく負極板５が拡張した場合にも、耳部支持突起２ａが耳部５ｅの座屈等による断線を防止すると共に、正極ストラップ７に接触して内部短絡が起こるのを防ぐことができる。
【００２４】
さらに、この耳部支持突起２ａは、電槽蓋２の内側天井面から耳部４ｅ、５ｅの下部の段差部４ｆ、５ｆまでの長さがあればよいので、正極板４や負極板５の上額部４ｃ、５ｃの上端に至るまで長くする必要はない。従って、これらの正極板４や負極板５の拡張を制限するための十分な強度を持たせることが容易となり、正極板４や負極板５の上額部４ｃ、５ｃの上端に近接させるためにセパレータ６の上端部が邪魔になるようなこともない。
【００２５】
なお、上記実施形態では、正極板４の耳部４ｅの段差部４ｆの上方だけでなく、負極板５の耳部５ｅの段差部５ｆの上方にも耳部支持突起２ａを配置する場合を示したが、特に使用に伴って大きく拡張する正極板４側にのみ耳部支持突起２ａを配置してもよい。このように正極板４側にのみ耳部支持突起２ａを配置する場合、負極板５の耳部５ｅには段差部５ｆを設ける必要はない。ただし、この場合は、負極板５の拡張に対応できないだけでなく、正極板４における耳部４ｅが突設されていない側の上額部４ｃの上端が拡張によって負極ストラップ８に接触するのを防止することもできない。
【００２６】
また、上記実施形態では、正極板４と負極板５の耳部４ｅ、５ｅの下部の幅を左右両側に広げて段差部４ｆ、５ｆを形成すると共に、２枚の耳部支持突起２ａを正極ストラップ７や負極ストラップ８の左右両側に配置して両側から段差部４ｆ、５ｆを支持する場合を示したが、段差部４ｆ、５ｆを片側にのみ形成して、耳部支持突起２ａも、正極ストラップ７や負極ストラップ８の片側であって、この段差部４ｆ、５ｆの上方にのみ配置するようにしても、同様の効果を得ることができる。ただし、上記実施形態のように、左右両側の耳部支持突起２ａで左右両側の段差部４ｆ、５ｆを支持するようにした方が、この段差部４ｆ、５ｆの上昇をよりバランス良く制限することができるようになる。
【００２７】
また、上記実施形態では、各極板群３における全ての正極板４と負極板５の耳部４ｅ、５ｅの段差部４ｆ、５ｆを耳部支持突起２ａの下端で支持する場合を示したが、例えば隔壁１ａに隣接する最も端の正極板４や負極板５の耳部４ｅ、５ｅの段差部４ｆ、５ｆを耳部支持突起２ａで支持するようにしたときには、この耳部支持突起２ａが電槽蓋２と隔壁１ａとの熱溶着作業の邪魔になるおそれもあるので、このような際には、一部の正極板４と負極板５の耳部４ｅ、５ｅの段差部４ｆ、５ｆのみを耳部支持突起２ａの下端で支持するようにするのもやむを得ない。この際、耳部支持突起２ａが支持しない正極板４や負極板５の耳部４ｅ、５ｅには段差部４ｆ、５ｆを形成する必要はない。
【００２８】
また、上記実施形態では、耳部支持突起２ａの下端が耳部４ｅ、５ｅの段差部４ｆ、５ｆのわずかに上方の位置まで達するようにした場合を示したが、この耳部支持突起２ａの下端は、当初より耳部４ｅ、５ｅの段差部４ｆ、５ｆに当接するようにしてもよく、この場合には、耳部４ｅ、５ｅの正極ストラップ７や負極ストラップ８への溶接部分にほとんど応力が加わらないようにすることができる。ただし、鉛蓄電池の組み立て時に、耳部支持突起２ａの下端を耳部４ｅ、５ｅの段差部４ｆ、５ｆに確実に当接させるようにするには、高い加工精度や組み立て精度が要求されることになる。
【００２９】
また、上記実施形態では、耳部支持突起２ａをリブ２ｂで補強する場合を示したが、この耳部支持突起２ａは、電槽蓋２の内側天井面から正極板４や負極板５の上額部４ｃ、５ｃの上端までではなく、それより上方の耳部４ｅ、５ｅの段差部４ｆ、５ｆに近接する位置まで突出させればよく、しかも、耳部支持突起２ａの肉圧を厚くすることもできるので、必ずしもリブ２ｂを形成しなくても十分な強度を持たせることができる。
【００３０】
また、上記実施形態では、耳部支持突起２ａやリブ２ｂが電槽蓋２と一体成形された樹脂からなる場合を示したが、例えば電槽蓋２の樹脂成形時に埋め込み成形された強度の大きい金属板やセラミックス板等によって構成することもできる。さらに、上記実施形態では、耳部支持突起２ａが壁板状である場合を示したが、必ずしも平坦な壁板状である必要はなく、波板状等の任意の形状とすることができる。
【００３１】
また、電槽蓋２の内側天井面から耳部支持突起２ａを突設する場合を示したが、この耳部支持突起２ａに代えて、別部品の耳部支持部材を電槽蓋２の内側天井面と正極板４や負極板５の耳部４ｅ、５ｅの段差部４ｆ、５ｆとの間に配置してもよい。この場合、耳部支持部材は、上端が電槽蓋２の内側天井面に近接すると共に下端が耳部４ｅ、５ｅの段差部４ｆ、５ｆに近接するように配置すればよく、事前に電槽蓋２の内側天井面に固着したり係止しておいてもよいし、耳部４ｅ、５ｅの段差部４ｆ、５ｆ上に載置した状態で電槽蓋２を取り付けることによりこれらの間に配置するようにしてもよい。この耳部支持部材は、電槽蓋２と同様の樹脂製であってもよいし、強度の大きい金属やセラミックス等によって構成することもできる。
【００３２】
また、上記実施形態では、電槽１内を隔壁１ａによって６箇所のセル室に仕切った場合を示したが、セル室の数は任意であり、隔壁１ａがなくセル室が１箇所だけの鉛蓄電池であっても同様に実施可能である。
【００３３】
また、上記実施形態では、注液栓１１を用いた鉛蓄電池について説明したが、例えば電槽蓋２に液還流室を設けることにより注液栓１１を用いないようにした鉛蓄電池にも同様に実施可能である。さらに、上記実施形態では、液式の鉛蓄電池について説明したが、制御弁式（密閉型）等の他の方式の鉛蓄電池にも同様に実施可能であり、格子体４ａ、５ａも、エキスパンド方式によるものに限らず、鋳造方式等により作製されたものであってもよい。
【図面の簡単な説明】
【００３４】
【図１】本発明の一実施形態を示すものであって、鉛蓄電池の上部の内部構造を示す縦断面正面図である。
【図２】本発明の一実施形態を示すものであって、使用により正極板が拡張した鉛蓄電池の上部の内部構造を示す縦断面正面図である。
【図３】従来例を示すものであって、鉛蓄電池の構造を示すための組み立て斜視図である。
【図４】従来例を示すものであって、正極板や負極板の格子体の構成を示す正面図である。
【図５】従来例を示すものであって、鉛蓄電池の上部の内部構造を示す縦断面正面図である。
【符号の説明】
【００３５】
１    電槽
１ａ  隔壁
２    電槽蓋
２ａ  耳部支持突起
２ｂ  リブ
３    極板群
４    正極板
４ａ  格子体
４ｂ  格子部
４ｃ  上額部
４ｄ  下額部
４ｅ  耳部
４ｆ  段差部
５    負極板
５ａ  格子体
５ｂ  格子部
５ｃ  上額部
５ｄ  下額部
５ｅ  耳部
５ｆ  段差部
６    セパレータ
７    正極ストラップ
７ａ  極柱
８    負極ストラップ
８ａ  極柱
９    正極端子
１０    負極端子
１１    注液栓
１２    電解液
【図１】
2008016331.tif 000003
【図２】
2008016331.tif 000004
【図３】
2008016331.tif 000005
【図４】
2008016331.tif 000006
【図５】
2008016331.tif 000007